(57)【要約】【課題】通気孔等により見栄えを悪くすることなく、組み込み式ガスコンロの機器本体内への給気と排気通路を確保し、燃焼を安定させることにある。【解決手段】キッチンカウンター１５に組み込み設置される機器本体１１と、機器本体１１上面に載置される天板１６とを備え、前記天板１６の後部外周側面２０に通気孔２１を設けることにより、機器本体１１の外観を損なうことなく、またキッチンの扉開閉による内圧の変化の影響を受けることがなく、機器本体１１内外への給排気が可能となるので、バーナ１３の位置を高くすることなく、燃焼用の空気が確保できバーナ１３の燃焼を安定させることができる。【選択図】図２
2005140396.tif 000002
【特許請求の範囲】
【請求項１】
バーナおよびバーナへのガス供給を制御するガス制御装置を有し、キッチンカウンターに組み込み設置される機器本体と、前記機器本体の上部を覆い、かつ前記バーナを上面より臨ましてキッチンカウンターに設置される天板と、前記天板上に載置されるゴトクとを備え、前記天板は外周側面に通気孔を設け、前記機器本体内外への給排気が可能な構成とした組み込み式ガスコンロ。
【請求項２】
バーナおよびバーナへのガス供給を制御するガス制御装置を有し、キッチンカウンターに組み込み設置される機器本体と、前記機器本体の上部を覆い、かつ前記バーナを上面より臨ましてキッチンカウンターに設置される天板と、前記天板上に載置されるゴトクとを備え、前記天板は、後部外周側面に通気孔を設け機器本体内外への給排気が可能な構成とした組み込み式ガスコンロ。
【請求項３】
天板は、その上面外周部に外周端へ向けて、または上面後部に後端へ向けてそれぞれ高くなる傾斜面を設けた請求項１または請求項２に記載の組み込み式ガスコンロ。
【請求項４】
天板は、その上面にバーナの火力調節等の操作部を設けた請求項１〜３のいずれか１項に記載の組み込み式ガスコンロ。
【請求項５】
天板は、その上面前部にバーナの火力調節等の操作部を有し、前記操作部とバーナとの間に、外周側面に通気孔を有する中空の遮熱壁を設け、前記遮熱壁下部の天板に通気孔を設け、前記天板の通気孔を介して前記遮熱壁の外周側面の通気孔より機器本体内外への給排気が可能な構成とした請求項１〜４のいずれか１項に記載の組み込み式ガスコンロ。
【請求項６】
天板は、その上面前部にバーナの火力調節等の操作部を有し、前記操作部とバーナとの間における天板上に中空の遮熱壁を設け、前記遮熱壁の後面および下部の天板に複数個の通気孔を設け、前記天板の通気孔を介して前記遮熱壁の通気孔より機器本体内外への給排気が可能な構成とした請求項１〜５のいずれか１項に記載の組み込み式ガスコンロ。
【発明の詳細な説明】
【技術分野】
【０００１】
本発明はキッチンカウンターに設置して使用する組み込み式のガスコンロに関し、特に空気の吸排気構成に係るものである。
【背景技術】
【０００２】
従来、この種のガスコンロにおける吸気の構成は、バーナを天板より高い位置に配置し、器具上面のバーナの周囲よりケース等の機器本体内部に燃焼用の空気を吸気している（例えば、特許文献１参照）。
【０００３】
図３は、特許文献１に記載された従来のガスコンロを示すものである。図３に示すように、バーナ１と、汁受け皿２と、天板３と、吸気口４とから構成されている。そして、バーナ１は、ガスと空気を混合する混合気管１ａを、天板３に上部開口を覆われてキッチンカウンター５に組み込まれたケース状の機器本体６内に設置され、燃焼部分が天板３より高い位置に配置されている。
【０００４】
しかしながら、前記従来の構成では、バーナ１の燃焼部分を天板３より高い位置に配置し、天板３の上に載せた汁受け皿２とバーナ１の間の吸気口４より機器本体６の内部に燃焼用の空気を吸気しているので、ゴトク７が高くなり見栄えが悪いとともに、バーナ１が高い位置にあるので周囲から空気が回り込みやすく高い熱効率が出ないという課題を有していた。
【０００５】
また、図３において、機器本体６に通気孔８を設け、キッチンカウンター５の下部に形成されている前扉９付の収納庫１０内よりからも燃焼用の空気を取り入れているガスコンロでは、バーナ１の燃焼を弱火に絞っている時において、収納庫１０より物を取り出すため前扉９を急に開いた時、瞬間的に収納庫１０内が負圧になるため、それによりバーナ１の燃焼が消える危険性があった。
【特許文献１】特開２００３−０８３５１６号公報
【発明の開示】
【発明が解決しようとする課題】
【０００６】
前記背景技術に鑑み、本発明が解決しようとする課題は、ガスコンロの構造の影響を受けることなく、機器本体内外への空気の吸排気が行える組み込み式ガスコンロを提供することにある。
【課題を解決するための手段】
【０００７】
前記従来の課題を解決するために、本発明の組み込み式ガスコンロは、バーナおよびバーナへのガス供給を制御するガス制御装置を有し、キッチンカウンターに組み込み設置される機器本体と、前記機器本体の上部を覆い、かつ前記バーナを上面より臨ましてキッチンカウンターに設置される天板と、前記天板上に載置されるゴトクとを備え、前記天板は外周側面に通気孔を設け、前記機器本体内外への給排気が可能な構成としたものである。
【０００８】
これにより、キッチンカウンターに設けた天板の外周側面の通気孔から機器本体内外への給排気が可能になり、ガスコンロの構造の影響を受けることなく燃焼用の空気が得られるとともに、排気による機器本体の温度低下も図ることができる。
【０００９】
また本発明は、バーナおよびバーナへのガス供給を制御するガス制御装置を有し、キッチンカウンターに組み込み設置される機器本体と、前記機器本体の上部を覆い、かつ前記バーナを上面より臨ましてキッチンカウンター上面に載置される天板と、前記天板上に載置されるゴトクとを備え、前記天板は後部外周側面に通気孔を設け、機器本体内外への給排気が可能な構成としたものである。
【００１０】
これにより、機器本体の前面や天板上面から機器本体内に吸気が困難なガスコンロでも、見栄えを悪くすることなく、燃焼用の１次空気を吸気することができるとともに、排気による機器本体の温度低下も図ることができる。
【発明の効果】
【００１１】
本発明の組み込み式ガスコンロは、ガスコンロの形態に左右されることなく、機器本体内へ燃焼用空気を吸気でき、また機器本体内の熱気を排出でき、安定した燃焼と機器本体の温度低下を図ることができる。
【発明を実施するための最良の形態】
【００１２】
第１の発明は、バーナおよびバーナへのガス供給を制御するガス制御装置を有し、キッチンカウンターに組み込み設置される機器本体と、前記機器本体の上部を覆い、かつ前記バーナを上面より臨ましてキッチンカウンターに設置される天板と、前記天板上に載置されるゴトクとを備え、前記天板は外周側面に通気孔を設け、前記機器本体内外への給排気が可能な構成とした組み込み式ガスコンロである。
【００１３】
これにより、キッチンカウンター設けた天板の外周側面の通気孔から機器本体内外への給排気が可能になり、バーナの燃焼時には天板の外周側面の通気孔から機器本体内に燃焼用空気が流れ込んで燃焼に供され、またバーナの消火時には燃焼により温度上昇した機器本体内の空気が天板の外周側面の通気孔から排気される。
【００１４】
従って、グリルがない、あるいは天板上面での機器操作の構成、あるいはガスコンロの見栄えや熱効率の関係でゴトクの高さが制限される場合等、機器前面や天板上面からの機器本体内外への空気の吸排気が困難な構成、また扉開閉式の収納庫を有するキッチンカウンターの構成であっても、これら構成に影響を受けることのない吸排気通路を確保し、安定した燃焼と機器本体の温度低下を図ることができる。
【００１５】
第２の発明は、バーナおよびバーナへのガス供給を制御するガス制御装置を有し、キッチンカウンターに組み込み設置される機器本体と、前記機器本体の上部を覆い、かつ前記バーナを上面より臨ましてキッチンカウンターに設置される天板と、前記天板上に載置されるゴトクとを備え、前記天板は、後部外周側面に通気孔を設け機器本体内外への給排気が可能な構成とした組み込み式ガスコンロである。
【００１６】
これにより、キッチンカウンターに設けた天板の外周側面の通気孔から機器本体内外への給排気が可能になり、バーナの燃焼時には天板の後部外周側面の通気孔から機器本体内に燃焼用空気が流れ込んで燃焼に供され、またバーナの消火時には燃焼により温度上昇した機器本体内の空気が天板の後部外周側面の通気孔から排気される。
【００１７】
従って、グリルがない、あるいは天板上面での機器操作の構成、あるいはガスコンロの見栄えや熱効率の関係でゴトクの高さが制限される場合等、機器前面や天板上面からの機器本体内外への空気の吸排気が困難な構成、またキッチンカウンターの収納庫の扉開閉により庫内が瞬間的に負圧になる構成であっても、これら構成に影響を受けることなく、バーナの位置を高くしたり、通気孔等により見栄えを悪くすることなく燃焼に必要な空気を機器本体内に吸気したり、機器本体内の熱気を外へ放出し、安定した燃焼と機器本体の温度低下を図ることができる。
【００１８】
第３の発明は、第１の発明における天板の上面外周部に外周端へ向けて、または第２の発明における天板の上面後部に後端へ向けてそれぞれ高くなる傾斜面を設けたことにより、天板の外周側面、または天板の後部外周側面の面積を大きくすることができ、それにより通気孔の面積も大きくすることが可能になり、機器本体への吸排気をよりし易くすることができ、さらに天板の外周側面、または後部外周側面に煮こぼれ等がふりかかるのを防止することもできる。
【００１９】
第４の発明は、第１〜第３の発明のいずれかにおける天板の上面にバーナの火力調節等の操作部を設けた構成にすることにより、機器本体の前面や天板上面から機器本体内外に吸排気が困難となるが、天板の外周側面、または天板の後部外周側面より機器本体内外へ給排気できるので、使用者は立った姿勢で容易に操作ができ、かつ安定した燃焼状態を確保し、かつ機器本体内の温度を低減することができる。
【００２０】
第５の発明は、第１〜第４の発明のいずれかにおける天板の上面前部にバーナの火力調節等の操作部を有し、前記操作部とバーナとの間に、外周側面に通気孔を有する中空の遮熱壁を設け、前記遮熱壁の下部の天板に通気孔を設け、前記天板の通気孔を介して遮熱壁の外周側面の通気孔より機器本体内外への給排気が可能な構成としたことにより、ガスコンロの見栄えを悪くすることなく機器本体の天板の外周側部、または後部外周側面からだけでなく、天板の上面前部の遮熱壁の通気孔からも機器本体内外への給排気が可能となり、安定した燃焼状態を確保することができるとともに、空気の流通する遮熱壁によりバーナの燃焼熱を効果的に遮り、操作部が加熱されるのを効率よく防止することができる。
【００２１】
第６の発明は、第１〜第５の発明のいずれかにおける天板の上面前部にバーナの火力調節等の操作部を有し、前記操作部とバーナとの間における天板上に中空の遮熱壁を設け、前記遮熱壁の後面および下部の天板に通気孔を設け、前記天板の通気孔を介して前記遮熱壁の通気孔より機器本体内外への給排気が可能な構成としたことにより、第４の発明よりさらに天板上の前部からの機器本体内外への給排気がし易くなり、安定した燃焼状態を確保することができるとともに、空気の流通する遮熱壁によりバーナの燃焼熱を効果的に遮り、操作部が加熱されるのを効率よく防止することができる。
【００２２】
本発明は、第１の発明から第６の発明の要部を実施の形態とすることにより本発明の目的を達成できるので、各請求項に対応する実施の形態についての詳細を、図１、図２を参照して説明し、本発明を実施するための最良の形態の説明とする。なお、この実施の形態によって本発明が限定されるものではない。
【００２３】
（実施の形態１）
図１は、本発明の実施の形態１における組み込み式ガスコンロの概略上面図で、図２は同組み込み式ガスコンロの概略断面図である。図１において、機器本体１１は、上面開口の箱状に成形された孔の無いケース１２内にバーナ１３の下部およびバーナ１３へのガス供給を制御するガス制御装置１４を内装し、グリルは設けておらず、キッチンカウンター１５の開口部１５ａに組み込み設置される。
【００２４】
天板１６は、ケース１２の上面開口を覆って外周縁を、ケース１２の外周縁とともに天板１６の上面に載せて設置し、天板１６の上面前部にバーナ１３の点火消火、火力調節等の操作部１７と、その後部にバーナ突出用開口部１８を有し、そしてバーナ突出用開口部１８より天板１６上に臨んだバーナ１３の燃焼部分と操作部１７の間における天板１６の上面前部には、中が中空の遮熱壁１９を設け、さらに天板の後部外周側面２０には複数個の通気孔２１を設けている。
【００２５】
また、天板１６は上面の外周後部に、後端に向けて高くなる傾斜面２２を形成して、調理中にこぼれた煮汁等が後部外周側面２０を伝わって通気孔２１に入るのを防止している。中空の遮熱壁１９は、その後面に複数個の通気孔２３を設け、一方その遮熱壁１９の下部に対向する天板１６の上面にも複数個の通気孔２４を設け、天板１６の通気孔２４を介して機器本体１１のケース１２内への給排気が行える構成にしてある。
【００２６】
ゴトク２５は、天板１６のバーナ突出用開口部１８上に位置して天板１６上に載置されている。図中、２６はキッチンカウンター１５の下部に形成した物品の収納庫で、２７は前扉である。
【００２７】
以上のように構成された組み込み式ガスコンロについて、以下その動作、作用を説明する。
【００２８】
まず、操作部１７の点火操作とガス制御装置１４により制御されて３個のバーナ１３の全部または２個または１個が燃焼している時に、各ノズル（図示せず）よりガスがバーナ１３に噴出され、その時の作用でケース１２内の空気が燃焼用に使用され、そして天板１６の後部外周側面２０に設けた通気孔２１より外部の空気が機器本体１１のケース１２内に吸気され燃焼用の１次空気として使用される。またバーナ１３の燃焼によって機器本体１１のケース１２内の空気が少し温度上昇したとしても、バーナ１３の消火時には通気孔２１より機器本体１１のケース１２内の熱気が外部へ排出される。
【００２９】
従って、機器本体１１の外観を損なうことなく、またキッチンカウンター１５の収納庫２６の前扉開閉による内圧の変化の影響を受けることがなく、機器本体１１内外への給排気が可能となり、従来の技術のように天板上でのバーナ１３の位置を高くすることなく、燃焼用の空気が確保できバーナ１３の燃焼を安定させることができる。
【００３０】
また、本実施の形態ではバーナ１３が燃焼している時には、天板１６上の操作部１７とバーナ１３の間に設けた遮熱壁１９の後面の通気孔２３より外部の空気が、上記した通気孔２１の処で説明したと同様の作用で、遮熱壁１９の固定された下部の天板１６上の通気孔２４を介して機器本体１１のケース１２内に流入するので、天板１６の後部外周側面２０からだけでなく天板１６の上面前部である遮熱壁１９からも機器本体１１のケース１２内へ空気が入り、燃焼用の空気が十分確保でき安定した燃焼状態を保つこともできる。
【００３１】
そして、バーナ１３の燃焼によって機器本体１１のケース１２内の空気が少し温度上昇したとしても、バーナ１３の消火時には通気孔２１からだけでなく、天板１６上の通気孔２４を介して遮熱壁１９の通気孔２３からも機器本体１１のケース１２内の熱気が外部へ排出される。さらに、空気の流通する遮熱壁１９でバーナ１３の燃焼熱を遮り、操作部１７を熱から護り、操作しやすくできる。
【００３２】
また、本実施の形態では、天板１６の上面の外周後部から後端に向けて高くなる傾斜面２２を設けているので、煮こぼれが天板１６の上面にこぼれたとしても、傾斜面２２の作用で外周側面２０を伝わって通気孔２１に流れ込むのを防止でき、通気孔２１が詰まりにくくなり、そして後部外周側面２０の面積を大きくすることもでき、それにより通気孔２１の面積も大きくすることができ、機器本体１１内外への給排気がさらにしやすくなり、燃焼が安定する。
【００３３】
以上のように、本実施の形態においては、天板１６の後部外周側面２０に通気孔２１を設けることにより、機器の外観見栄えを悪くすることなく、バーナ１３燃焼時に通気孔２１から機器本体１１内部に吸気するので、燃焼用の空気が十分確保でき安定した燃焼状態を保つことができ、また通気孔２１より機器本体１１内部の熱気を外へ排出するので、機器本体１１内部の温度を低減することもできる。
【００３４】
なお、本実施の形態では天板１６の後部外周側面２０にのみ通気孔２１を設けたが、これに限定されるものではなく本発明の目的を達成できる範囲内で種々変更でき、例えば天板の左部または右部または前部の外周側面のいずれかに、または天板の左部と右部または後部と前部の外周側面等のように幾つかと組み合わせて、または天板の外周側面の全体に、それぞれ通気孔を設けても本願発明と同等の作用効果を期待できる。
【００３５】
また、本実施の形態では天板１６の後部外周側面２０の通気孔２１に対向して天板１６の上面の外周後部にのみ傾斜面２２を設けたが、通気孔２１が天板１６の後部外周側面以外の外周側面に設けた場合は、それに対向した天板１６の外周上面にも傾斜面を設けるもので、本願発明と同等の作用効果を期待できる。
【産業上の利用可能性】
【００３６】
以上のように本発明の組み込み式ガスコンロは、安定した燃焼と機器本体の温度低下を図ることができ、燃焼用空気の吸気と機器本体内の熱気排出の技術等に適用できる。
【図面の簡単な説明】
【００３７】
【図１】本発明の実施の形態１における組み込み式ガスコンロの上面図
【図２】本発明の実施の形態１における組み込み式ガスコンロの断面図
【図３】従来の組み込み式ガスコンロの断面図
【符号の説明】
【００３８】
１１  機器本体
１２  ケース
１３  バーナ
１４  ガス制御装置
１５  キッチンカウンター
１６  天板
１７  操作部
１８  バーナ突出用開口部
１９  遮熱壁
２０  後部外周側面
２１、２３、２４  通気孔
２２  傾斜面
２５  ゴトク
【図１】
2005140396.tif 000003
【図２】
2005140396.tif 000004
【図３】
2005140396.tif 000005